(57)【要約】      （修正有） 【課題】ハンドバックや通勤・通学カバンの中に入れた携帯電話の着信音を的確に判別できる携帯電話ケースである。【解決手段】携帯ケース１、３１内に携帯電話１０を出し入れ可能に収容すると共に、該携帯ケース１、３１内に、入力用のスピーカ１５と回路１６をＯＮ、ＯＦＦするスイッチ１７と交換可能に装着する電池１８とアンプ１９と音量調整器２０とからなる増幅装置２２を収容し、該音量調整器２０とクリップなどの止具２４を具えた出力用のスピーカ２５とを長尺なリード線２６で接続してなるものである。【選択図】図７
0003108765.tif 000002
【実用新案登録請求の範囲】
【請求項１】
携帯ケース（１、３１）の内部に携帯電話（１０）を出し入れ可能に収容すると共に、該携帯ケース（１、３１）内に、入力用のスピーカ（１５）と回路（１６）をＯＮ、ＯＦＦするスイッチ（１７）と交換可能に装着する電池（１８）とアンプ（１９）と音量調整器（２０）とからなる増幅装置（２２）を収容し、該音量調整器（２０）とクリップなどの止具（２４）を具えた出力用のスピーカ（２５）とを長尺なリード線（２６）で接続してなることを特徴する携帯電話ケース。
【請求項２】
前記長尺なリード線（２６）は、該リード線を巻き取る巻取装置（２７）を設けてなることを特徴とする請求項１記載の携帯電話ケース。
【請求項３】
前記出力用のスピーカ（２５）は、該スピーカの音発生部（２５ａ）の向きを変更できるように回動可能に止具（２４）に設けてなることを特徴とする請求項１記載の携帯電話ケース。
【請求項４】
前記携帯ケース（３１）は、ケース本体（３２）の内部に設けた収容室（３４）内に携帯電話（１０）を収容すると共に、前記増幅装置（２２）を収容する第２の収容室（３５）を内部に設けて端部に形成した出入口部（３２ａ）に、ケース蓋体（３３）を開閉可能に設けてなり、該収容室（３４）の内面に柔軟材（３３ａ）を装着してなることを特徴とする請求項１記載の携帯電話ケース。
【請求項５】
前記携帯ケース（１）が、ケース本体（１ａ）とケース蓋体（１ｂ）とを開閉可能に連結してなり、該ケース本体（１ａ）およびケース蓋体（１ｂ）の内部に携帯電話（１０）を出入可能に収容する収容室（４ａ、４ｂ）をそれぞれ形成し、該収容室（４ａ、４ｂ）に隣接して設けた第２の収容室（５ａ、５ｂ）内に、前記増幅装置（２２）を収容してなることを特徴とする請求項１記載の携帯電話ケース。
【請求項６】
前記増幅装置（２２）に設けた端子部（２３）に、前記出力用のスピーカ（２５）の代りにイヤホーン（２８）を一端に接続した長尺なリード線（２６ａ）の他端を着脱可能に接続してなることを特徴とする請求項１記載の携帯電話ケース。
【請求項７】
底面部（８）の周囲上方に設けた周壁部（２ａ）の内面に柔軟材（３ａ）を装着した収容室（４ａ）を設け、該収容室（４ａ）に隣接して第２の収容室（５ａ）を有したケース本体（１ａ）と、上面部（９）の周囲下方に設けた周壁部（２ｂ）の内面に柔軟材（３ｂ）を装着して収容室（４ｂ）を設け、該収容室（４ｂ）に隣接して第２の収容室（５ｂ）を有したケース蓋体（１ｂ）とを開閉可能に連結した携帯ケース（１）の収容室（４ａ、４ｂ）内に携帯電話（１０）を出入可能に収容すると共に、第２の収容室（５ａ、５ｂ）内に増幅装置（２２）を収容し、該増幅装置（２２）は、入力用のスピーカ（１５）と回路（１６）をＯＮ、ＯＦＦするスイッチ（１７）と交換可能に装着する電池（１８）とアンプ（１９）と後記する出力用のスピーカ（２５）から出力する着信音を調整する音量調整器（２０）とで形成してなり、該音量調整器（２０）とクリップなどの止具（２４）を具えた出力用のスピーカ（２５）とを巻取装置（２７ａ）を具えた長尺なリード線（２６ａ）で接続してなることを特徴する携帯電話ケース。
【考案の詳細な説明】
【技術分野】
【０００１】
本考案は携帯電話ケースに係り、ハンドバックや通勤・通学カバンの中に入れた携帯電話の着信音を的確に確認できるようにした携帯電話ケースに関するものである。
【背景技術】
【０００２】
一般に、携帯電話を携帯する場合に、男性の洋服にはポケットが複数有してあり、しかも洋服は体にあまり密着していないため、該電話をポケットに入れたりして身に付けて持ち運んでいる。また、カバンを持ち歩く場合には、該携帯電話をカバンに入れて持ち運ぶことが多い。他方、女性の洋服の場合にはポケットが少ないため、携帯電話を洋服のポケットに入れて持ち運ぶことは殆どない。その上、女性の洋服は体に密着しているため、該ポケットに携帯電話を入れて持ち運んでいると、洋服のデザインやシルエットが崩れてしまうという問題点がある。さらに、多くの女性が出歩く場合には、ほとんどハンドバック等のカバン類を所持しているため、このハンドバック等の中に携帯電話を入れて持ち運ぶことが多い。
【０００３】
カバンやハンドバック等の中に携帯電話を入れて持ち運んだり、洋服のポケットに該携帯電話を入れて持ち運んでいる場合に、不特定の人が大勢集る交差点や人ごみの中を移動中に着信音が鳴っても誰の携帯電話の着信音なのか判別し難い場合がある。たとえば、人ごみの中や乗客が乗っている電車の網棚上に複数のカバンが載せてある場合に、着信音が鳴っても誰の携帯電話の着信音なのか判別することが困難な場合があって、結果的に電話連絡がとれないことがあり、せっかく携帯している携帯電話の機能を発揮することが出来ないという問題点を有していた。
【０００４】
携帯電話の着信音を的確に確認するために、アンテナの先端に装着した発光部を発光させて着信の有無を知らせるものが従来から知られている。しかし、之は携帯のアンテナの先端を常に見える状態にしていないと着信による発光を確認することができないし、カバンの中に入れて携帯する場合には発光を確認できないためせっかくの電話機能を利用することができない。さらに、携帯電話を収容する携帯用ケースも従来からあるが、これは携帯中にキーの誤操作を防止することを目的とするものであって、自分の携帯電話に対する着信音の確認を高める機能を有するものではない。
【特許文献１】登録実用新案第３００７２２０号公報
【特許文献２】特開２０００−８３７１８号公報
【考案の開示】
【考案が解決しようとする課題】
【０００５】
携帯電話をカバンやハンドバックの中に入れて持ち運ぶ場合に、カバン等の中に荷物が多量に収納されている場合には、着信音が鳴っても該着信音がカバンの内部にこもってしまうことがある。しかも、人ごみの中を歩いていたり、多数の乗客が乗車している電車の網棚に載せてある場合に着信音が鳴っても、自分の携帯電話が鳴っているのか他人の携帯電話が鳴っているのか判別し難い。また、洋服のポケットに携帯電話を入れてマナーモードでない状態，即ち着信音が発生する状態で持ち運んでいる場合には、人ごみの中で着信音が鳴っても自分の電話または他人の電話の着信音が鳴っているのかを判別することができないことがある。
【０００６】
他方、耳の聴覚が弱い人の場合には着信音を大きく設定して聞き取りやすくしてあると、人が多数集まる交差点や電車の中で着信信号を受信した場合に、着信音が大きいため周囲の人々を驚かせて迷惑をかけてしまうという問題点を有していた。
【０００７】
本考案は、携帯電話を携帯ケース内に収容し、該ケース内で鳴った着信音をアンプで増幅してハンドバックの外面に位置して取り付けたスピーカから出力し、自分の電話が受信した着信音を的確に確認できるようにした携帯電話ケースを提供するものである。
【課題を解決するための手段】
【０００８】
上記課題を解決するため本発明は、携帯ケース１、３１の内部に携帯電話１０を出し入れ可能に収容すると共に、該携帯ケース１、３１内に、入力用のスピーカ１５と回路１６をＯＮ、ＯＦＦするスイッチ１７と交換可能に装着する電池１８とアンプ１９と音量調整器２０とからなる増幅装置２２を収容し、該音量調整器２０とクリップなどの止具２４を具えた出力用のスピーカ２５とを長尺なリード線２６で接続してなるものである。
【０００９】
このように、カバンの中に携帯電話を収容して出力用のスピーカ２６の音発生部２５ａの向きが逆を向いていたりすると、着信音をカバンの外部で聴き取りにくいことがある。しかし、密閉状の携帯ケース１内で鳴った着信音に雑音を混入させないでアンプで増幅し、該カバンの外部の適当位置に取り付けた出力用のスピーカ２５から着信音を出力するため、着信音を的確に確認することができる。
【００１０】
前記長尺なリード線２６は、該リード線を巻き取る巻取装置２７を具えてある。このようにリード線２６に巻取装置２７を具えてあると、余分なリード線を巻き取って整理できるので取り扱いが容易となる。
【００１１】
前記出力用のスピーカ２５は、該スピーカの音発生部の向きを変更できるように回動可能に止具２４に設けてある。このようにスピーカ２５の音発生部を止具２４に上下又は左右に回動できるように取り付けたことにより、該音発生部の向きを調整することができれば、カバンやハンドバックの外部に取り付けたスピーカの音発生部を所定方向に向けるように調整して該音発生部から発生する着信音を的確に確認することができる。
【００１２】
前記携帯ケース３１は、有底箱状のケース本体３２の内部に設けた収容室３４内に携帯電話１０を収容すると共に、前記増幅装置２２を収容する第２の収容室３５を内部に設けて端部に形成した出入口部３２ａに、有底箱状のケース蓋体３３を開閉可能に設けてなり、該収容室３４の内面に柔軟材３３ａを装着することが好ましい。このように一端に出入口部３２ａを有した携帯ケース３１内に設けた収容室３４内に増幅装置２２を装着してあるので、携帯電話からの着信音は該携帯ケース内で外部の雑音を入力することなく増幅装置２２の入力用スピーカに力してアンプで増幅するため、着信音を的確に確認することができる作用を有する。
【００１３】
この収容室３４の内部に設ける第２の収容室３５は、ケース本体３２の内部に限らず、開閉可能なケース蓋体３３の内部、即ち、符号３５ａで示した個所に設けてもよいことは勿論である。
【００１４】
前記携帯ケース１が、ケース本体１ａとケース蓋体１ｂとを開閉可能に連結してなり、該ケース本体１ａおよびケース蓋体１ｂの内部に携帯電話１０を出入可能に収容する収容室４ａ、４ｂをそれぞれ形成し、該収容室４ａ、４ｂに隣接して設けた第２の収容室５ａ、５ｂ内に、前記増幅装置２２を収容し、両者の間に設けた仕切壁６ａ、６ｂに開口部６ｃ、６ｃを設けてあるので、携帯電話の着信音を該増幅装置の入力用のスピーカ１５から外部の雑音を取り込むことなく該着信音を入力することができる利点を有する。
【００１５】
前記増幅装置２２に設けた端子部２３に、前記出力用のスピーカ２５の代りにイヤホーン２８を一端に接続した長尺なリード線２６ａの他端を着脱可能に接続することを特徴とする。即ち、出力用のスピーカから着信音を外部に出力せず、耳に入れたイヤホーンを用いて着信音を聞くようにしたことにより、特に聴覚の弱い人にとって、また、騒音中でも確実に着信音を確認することができる利点がある。
【００１６】
さらに、底面部８の周囲上方に設けた周縁部２ａの内面に柔軟材３ａを装着した収容室４ａを設け、該収容室４ａに隣接して第２の収容室５ａを有したケース本体１ａと、上面部９の周囲下方に設けた周縁部２ｂの内面に柔軟材３ｂを装着して収容室４ｂを設け、該収容室４ｂに隣接して第２の収容室５ｂを有したケース蓋体１ｂとを開閉可能に連結した携帯ケース１内の収容室４ａ、４ｂ内に増幅装置２２を収容してある。
【００１７】
この増幅装置２２は、入力用のスピーカ１５と回路１６をＯＮ、ＯＦＦするスイッチ１７と交換可能に装着する電池１８とアンプ１９と後記する出力用のスピーカから出力する着信音を調整する音量調整器２０とで形成してなり、該音量調整器２０とクリップなどの止具２４を具えた出力用のスピーカ２５とを巻取装置２７ａを具えた長尺なリード線２６ａで接続してある。このようにケース本体１ａ及びケース蓋体１ｂの内面に柔軟材３ａ、３ｂを装着させてあるので、内部に携帯電話１０を収容した該携帯ケース１を誤って落下させても内部の携帯電話１０が破損するのを防止できる作用を有する。
【考案の効果】
【００１８】
本考案は、携帯電話を密閉状の携帯ケース１、３１内に収容し、雑音をカットして携帯電話の着信音をアンプ１９で増幅し、出力用のスピーカから発した着信音の有無を確認できる利点がある。この携帯ケースの増幅装置と携帯電話とは電気的に接続していないので、携帯電話の電気的な制約を受けないで自由に設計ないしデザインすることが出来る。携帯ケース１、３１の外面形状をユニークな形状や色彩にすれば、該ケースを持ち運ぶことがファッションになり、さらに、出力音を調節することができるため、耳の障害者や正常者でも使用することができる。
【考案を実施するための最良の形態】
【００１９】
本考案の実施の形態を図面に基づいて説明すると、１は金属又は合成樹脂材等により形成した方形の携帯ケースで、開閉可能に嵌合するケース本体１ａとケース蓋体１ｂとで形成してある。このケース本体１ａおよびケース蓋体１ｂの底面部８および上面部９の周縁部分をそれぞれ立ち上がらせて形成し、且つ、底面部８および上面部９をの周囲に設けた周壁部２ａ、２ｂの内側面に、夫々スポンジ、ゴム、不織布などの弾力性を有した柔軟材３ａ、３ｂを取り付けて、携帯電話１０の周面を密着させて収容する収容室４ａ、４ｂをそれぞれ形成してある。
【００２０】
この収容室４ａ、４ｂに隣接して後記する増幅装置２２を収容する第２の収容室５ａ、５ｂを形成し、該収容室５ａ、５ｂの一側に、携帯電話のアンテナ１０ａを収容する小さなアンテナ室７ａ、７ｂをそれぞれ設けてある。この携帯電話１０の一側上部に突出して設けたアンテナ部１０ａを、第２の収容部５ａ、５ｂの一側に設けた細巾のアンテンア室７ａ、７ｂ内に収容させるため、携帯電話１０は周面に柔軟材３ａ、３ｂを装着させた収容部４ａ、４ｂ内に密着させて収容でき、該収容室４ａ、４ｂ内でガタつくことはなく騒音を発生させることがない。
【００２１】
収容室４ａ、４ｂと第２の収容室５ａ、５ｂとの間に位置する仕切壁６ａ、６ｂには、携帯電話１０の上部背面に設けた着信音を出力する着信音出力窓１０ｂからの着信音を、第２の収容室５ａ、５ｂに収容した増幅装置２２に具えた入力用のスピーカ１５から入力できるように該仕切壁６ａ、６ｂにそれぞれＵ字状に切欠いたり、複数の小孔を穿ったりして開口部６ｃ、６ｃを設けてある。
【００２２】
前記ケース本体１ａ及びケース蓋体１ｂの周縁部２ａ、２ｂの端部は、互いに係合するよう、例えば凹凸状の係合部（図示せず）に形成してもよい。さらに、携帯電話１０の着信音出力窓１０ｂからの音が、増幅装置２２の入力用のスピーカ１５にスムーズに入力できるように該仕切壁６ａ、６ｂに設けた開口部６ｃ、６ｃに接近させて、該入力用のスピーカ１５を配してある。
【００２３】
図１において、本考案の第２の実施形態における携帯ケース３１は、有底箱状をしたケース本体３２と同じく有底状をしたケース蓋体３３とからなり、該ケース本体３２の内部に、前記増幅装置２２を収容する第２の収容室３５を形成し、該第２の収容室３５に隣接して設けた仕切壁３６に隣接して設けた収容室３４の端部に形成した出入口部３２ａから携帯電話１０を出し入れ可能に収容し、この出入口部３２ａにケース蓋体３３を係合させて内部を密封する。仕切壁３６には携帯電話１０の出力窓などから発生する着信音が増幅装置２２に入力できるよう開口部（図示せず）を設けてある。そして、この収容室３４の内面に柔軟材３３ａを装着して携帯電話が内部でガタつかないようにしてある。
【００２４】
この第２の収容室３５は、第１の実施形態において説明したようにケース本体３２の内部に設けてもよいし、または、ケース本体の代りに、ケース蓋体３３の内部に符号３５ａで示した位置に設けてもよいことは勿論である。
【００２５】
図５に基づいて説明すると、１５は携帯電話１０が受信信号を受信して出力する着信音を入力するスピーカであって回路１６に接続してあり、該回路１６には手動式にＯＮ、ＯＦＦする回路切断用のスイッチ１７を接続し、また、消耗したら交換可能な電池１８を接続し、さらに、入力用のスピーカ１５から取り込んだ着信音を増幅するアンプ１９および該着信音の音量の強弱を無段階に又は多段に切り換えて調整することのできる音量調整器２０とで増幅装置２２を設けてある。
【００２６】
この増幅装置２２の回路１６に設けた端子部２３とクリップなどからなる止具２４を具えた出力用のスピーカ２５とを長尺なリード線２６で接続してある。さらに、必要に応じてリード線２６に生じた余分なリード線部分を巻き取る巻取装置２７を具えてある。この端子部２３に設けたジャック３０に着脱可能に接続するピンジャック２９を一端に設けたイヤホーン２８を長尺なリード線２６ａに接続し、該リード線の所望個所に余分なリード線部分を巻き取ることができる巻取装置２７ａを設けてある。２９はリード線２６ａの一端に設けたピンジャックで、端子部２３に設けたジャック３０に着脱可能に接続させる。この場合、イヤホーン２８を端子部２３に接続すると、出力用のスピーカ２５が０ＦＦの状態になることが好ましい。
【００２７】
図７は、ハンドバック４０の内部に設けた内ポケット４１内に、携帯電話１０を収容した携帯ケース１、３１を収容した状態を示すもので、ハンドバック本体４２の上部に設けた上部開口４３は開閉可能に設けた蓋片４４で覆われ、この蓋片４４の先端外側に設けた止着具４４ａと、ハンドバック本体の平面中央に設けた他の止着具（図示せず）に着脱可能に止着してある。ハンドバックの内部に設ける内ポケット４１の位置は、任意の個所でよい。また、内ポケットを有しないハンドバックにも本考案の携帯ケースを収容して用いることができるのは勿論である。
【００２８】
ハンドバック本体４２の側面上部に止具２４を挟持させて出力用のスピーカ２４を取り付け、該スピーカ２５と前記増幅装置２０とを接続するリード線２６をハンドバック本体４２内に位置してある。このスピーカ２５の音発生部を可動できるように設けてあればその向きを任意に調整することができる利点があるが、必ずしも音発生部を可動するように構成する必要はない。
【００２９】
本装置の作用について説明すると、この携帯ケース１、３１内の収容室４ａ、４ｂ又は３４内に携帯電話１０を収容し、前記携帯ケース１、３１を図７に示す如く、ハンドバック本体４２内に雑然と収容するか、または、該ハンドバック本体内に設けた内ポケット４1内に収容し、該携帯ケースから引き出されたリード線２６の先端に連結した出力用のスピーカ２５を備えた止具２４をハンドバック４０の、例えば側面上部に取り付けてスピーカの音発生部をハンドバック４０の外部に位置してある。ついで、スイッチ１７を手動によってＯＮにして増幅装置２２を駆動させて使用状態にする。
【００３０】
携帯ケース１、３１の一方端から外部に引き出したリード線２６の先端に設けた出力用のスピーカ２５をカバンやハンドバックの外側の所望個所、例えば側面上部に取り付けてある。または、カバンやハンドバックの内部であって出入り口部３２ａに接近した個所に取り付けても良い。この出力用のスピーカの取付け位置は、ハンドバックの蓋片４４の外面やハンドバック本体４２の外面、さらにはハンドバックの側面上部に取り付けても良いが、この側面上部の位置が最も目立たなくて好ましい。さらには、幅広で肩に掛けて持ち運ぶカバンなどの場合、該肩掛けベルトの所望位置に前記出力用スピーカを取り付けてもよいものである。
【００３１】
図６に示すように、略Ｕ字型をした公知の止具２４を該出力用のスピーカ２５に直接又は間接的に取付け、この止具２４をカバンやハンドバックの一端に、該スピーカ２５をハンドバックやカバンの外側に位置するように取り付ける。この場合、スピーカ２５の首部を回動できる構成にしてあれば、所定方向に該出力用のスピーカ２５の向きを調整すれば、着信音を一層明瞭に聞き取ることができる。
【００３２】
この場合、止具２４を用いてカバンに一時的に取り付けるので、取付け位置を自由に調整することができるし、カバンなどに傷を付けることもない。そのため、ハンドバックの持ち方又は電車などの網棚に載せた状態に応じて該スピーカが、カバンなどの所有者の方向を向くようにスピーカの位置の調整が可能であると便利である。従来のようにカバンの内部で着信音が鳴った場合のようにカバンの中にこもったような音ではなく、カバンの外部又は外部に接近した個所に位置するスピーカ２５から直接に出力した着信音は明瞭であり、該着信音を明瞭に判別して確認することができる。
【００３３】
騒音中で着信音が鳴った場合でも、出力用のスピーカ２５がカバンの所有者の方向を向くようにセットしてあるので、少し位の騒音中でも該着信音を明瞭に聞き取ることができる。このように密閉した携帯ケース１内で鳴った着信音を、周囲の騒音を入力させることなく該着信音のみを入力してアンプ１９で増幅するため、ハンドバックやカバンに取り付けた出力用のスピーカ２５から自分に向かって着信音が出力するので、自分の携帯電話に対する着信音の有無を的確に確認することができる。
【００３４】
携帯ケース１、３１は密閉構造のため、外部の騒音は該携帯ケース１、３１の内部に進入せず、入力用のスピーカ１５に着信音はそのまま入力するが、該携帯ケース１、３１の外部の騒音は入力しないので構造のため着信音に雑音が混入せず、さらに、着信音を増幅させることができるので該着信音を明瞭に確認できる。この場合、携帯ケース１、３１は完全な密閉構造である必要はなく、少なくとも携帯電話の音発生部１０ｂと増幅装置の入力用のスピーカ１５の部分を覆って、外部からの雑音が該音発生部から発生する着信音に混入し、該スピーカへの入力を防ぐようにしてあればよい。
【００３５】
なお、本装置を使用しない場合は、スイッチ１７を切っておけば電池１８の消耗を防ぐことができる。
【図面の簡単な説明】
【００３６】
【図１】本考案に係る第１の実施形態の携帯ケースのケース蓋体を開いた状態の側面図である。
【図２】本考案に係る第２の実施形態における携帯ケースを示すもので、柔軟材３ａを装着しない状態のケース本体１ａの内部を示した平面図である。
【図３】第２の実施形態における携帯ケースを示すもので、柔軟材３ｂを装着しない状態のケース蓋体１ｂの内部を示した平面図である。
【図４】第２の実施形態における携帯ケースを示すもので、ケース蓋体を取り外したケース本体の平面図である。
【図５】第２の実施形態における携帯ケースを示すもので、ケース蓋体をケース本体から取り外した状態の図1のＡ―Ａ線方向断面図である。
【図６】本考案の増幅装置のブロック図である。
【図７】携帯電話を収容した携帯ケースをハンドバックの内ポケット内に収容し、出力用のスピーカをハンドバックの側面上部に止着した使用状態を示すハンドバックの正面図である。
【図８】図６に示したハンドバックの側面部分の一部を示した説明図である。
【符号の説明】
【００３７】
１      携帯ケース
１ａ    ケース本体
１ｂ    ケース蓋体
２ａ    周壁部
２ｂ    周壁部
３ａ    柔軟材
３ｂ    柔軟材
４ａ    収容室
４ｂ    収容室
５ａ    第２の収容室
５ｂ    第２の収容室
６ａ    仕切壁
６ｂ    仕切壁
６ｃ    開口部
７ａ    アンテナ室
７ｂ    アンテナ室
８      底面部
９      上面部
１０      携帯電話
１５      入力用のスピーカ
１５ａ    音発生部
１６      回路
１７      スイッチ
１８      電池
１９      アンプ
２０      音量調整器
２２      増幅装置
２３      端子部
２４      止具
２５      出力用のスピーカ
２６      リード線
２６ａ    リード線
２７      巻取装置
２７ａ    巻取装置
２８      イヤホーン
３１      携帯ケース
３１ａ    出入口部
３２      ケース本体
３３      ケース蓋体
３３ａ    柔軟材
３５      第２の収容室
３６      仕切壁
【図１】
0003108765.tif 000003
【図２】
0003108765.tif 000004
【図３】
0003108765.tif 000005
【図４】
0003108765.tif 000006
【図５】
0003108765.tif 000007
【図６】
0003108765.tif 000008
【図７】
0003108765.tif 000009
【図８】
0003108765.tif 000010